(57)【特許請求の範囲】
【請求項１】
ハウジングと、
前記ハウジングに保持された複数の端子と、を備えたコネクタであって、
前記ハウジングは、本体部と、前記本体部を貫通する作業孔と、前記本体部から突出した保護壁と、を有し、
前記複数の端子は、前記ハウジングに埋設された埋設部と、前記埋設部に連なり前記作業孔の内部に配された内部接続部と、前記作業孔の外部に配された外部接続部と、を有し、
前記外部接続部は、前記内部接続部に連なる垂直部と、前記垂直部に連なる水平部と、を有し、
前記保護壁は、前記複数の端子の並列方向と直交する第１方向における一側に配された第１保護壁と、前記第１方向における他側に配された第２保護壁と、を有し、
前記保護壁は、前記並列方向において、前記本体部の両側に一対設けられており、
前記第１保護壁と前記第２保護壁は、前記本体部から個別に突出しており、
前記第１保護壁の先端と前記第２保護壁の先端は、前記水平部よりも前記本体部から離れた位置に配されており、
前記水平部は、前記保護壁によって囲まれた領域の内側に配されているコネクタ。
【請求項２】
前記第１保護壁は、前記水平部の基端側に配されており、
前記第２保護壁は、前記水平部の先端側に配されている請求項１に記載のコネクタ。
【請求項３】
前記保護壁は、前記作業孔の孔縁部から前記垂直部に沿って突出する請求項１または請求項２に記載のコネクタ。
【請求項４】
前記保護壁は、前記作業孔の孔縁部から前記作業孔の貫通方向に突出する請求項１から請求項３のいずれか１項に記載のコネクタ。
【発明の詳細な説明】
【技術分野】
【０００１】
本明細書によって開示される技術は、コネクタに関する。
【背景技術】
【０００２】
従来、端子台に接続される電線側コネクタとして、特開２００６−３１９６２号公報（下記特許文献１）に記載のものが知られている。この電線側コネクタは、機器に直接取り付けられる第１コネクタを有し、第１コネクタは、第１ハウジング、複数の第１端子金具などを備えて構成されている。第１端子金具の後端部は、第１ハウジングの後端面から後方へ突出して、第１ハウジングの外部に露出している。また、第１ハウジングの後端面には、隣り合う一対の第１端子金具を仕切る仕切壁が設けられている。
【先行技術文献】
【特許文献】
【０００３】
【特許文献１】特開２００６−３１９６２号公報
【発明の概要】
【発明が解決しようとする課題】
【０００４】
しかしながら、上記の電線側コネクタを誤って落とした場合、第１端子金具が地面に衝突して損傷するおそれがある。具体的には、複数の第１端子金具のうち両側に位置する一対の第１端子金具については、隣接する第１端子金具側に仕切壁が存在するものの、その反対側に仕切壁がないため、電線側コネクタを仕切壁のない側を下に向けて落とした場合に、第１端子金具が地面に衝突するおそれがある。
【課題を解決するための手段】
【０００５】
本明細書によって開示されるコネクタは、横方向に長い作業孔が貫通して設けられた本体部を有するハウジングと、前記ハウジングに保持され、前記作業孔において横方向に並んで配された複数の端子とを備えたコネクタであって、各端子は、前記ハウジングの内部に埋設された埋設部と、前記埋設部に連なり前記作業孔の内部に配された内部接続部と、前記内部接続部に連なり前記作業孔の外部に配された外部接続部とを備えて構成され、前記ハウジングは、前記本体部から突出して設けられ前記複数の端子からなる端子群の横方向両側に配された一対の保護壁を備え、前記保護壁の先端部は、前記作業孔の貫通方向において前記外部接続部よりも前記本体部から離れた位置に配されている構成とした。
【０００６】
このような構成によると、コネクタを誤って落とした場合に、外部接続部よりも先に保護壁が地面に衝突するから、外部接続部が損傷することを回避できる。また、複数の外部接続部の横方向両側に一対の保護壁を配したから、横方向両側に位置する一対の外部接続部についても一対の保護壁で保護することができる。
【０００７】
本明細書によって開示されるコネクタは、以下の構成としてもよい。
前記外部接続部は、前記内部接続部に連なる垂直部と、前記垂直部に連なる水平部とからなり、前記保護壁は、前記横方向と直交する縦方向における一側に配された第１保護壁と、前記縦方向における他側に配された第２保護壁とを備えて構成されているものとしてもよい。
このようにすると、水平部の一側を第１保護壁によって保護することができ、水平部の他側を第２保護壁によって保護することができる。
【０００８】
前記保護壁は、前記本体部における前記作業孔の孔縁部から前記作業孔の貫通方向に突出する形態をなす構成としてもよい。
このような構成によると、作業孔の孔縁部に保護壁を設けたから、コネクタの大型化を回避できる。
【発明の効果】
【０００９】
本明細書によって開示されるコネクタによれば、コネクタを誤って落とした場合に、端子を保護することができる。
【図面の簡単な説明】
【００１０】
【図１】コネクタの正面図
【図２】コネクタの底面図
【図３】コネクタの側面図
【図４】図２におけるＡ−Ａ線断面図
【発明を実施するための形態】
【００１１】
＜実施形態＞
実施形態を図１から図４の図面を参照しながら説明する。本実施形態におけるコネクタ１０は、図１および図２に示すように、合成樹脂製のハウジング２０と、ハウジング２０に保持された複数の端子３０と、ハウジング２０をモータなどの機器に取り付けるためのプレート４０とを備えて構成されている。ハウジング２０は、図１に示すように、金属プレート４０が一体に保持された本体部２１と、本体部２１の下面から下方に突出して設けられた左右一対の保護壁２２とを備えて構成されている。本体部２１には、図２に示すように、横方向に長い作業孔２３が貫通して設けられている。
【００１２】
端子３０は、図２に示すように、作業孔２３において上下方向に臨むとともに横方向に並んで複数設けられている。端子３０は、図４に示すように、導電性の金属板をプレス加工することで略クランク状をなしており、ハウジング２０の内部に埋設された埋設部３１と、埋設部３１に連なり作業孔２３の内部に配された内部接続部３２と、内部接続部３２に連なり作業孔２３の外部（作業孔２３に連通する下側の空間）に配された外部接続部３３とを備えて構成されている。外部接続部３３は、図４に示すように、内部接続部３２に連なって上下方向に延びる垂直部３４と、垂直部３４に連なって水平方向に延びる水平部３５とからなり、水平部３５には、ボルト孔３６が上下方向に貫通して形成されている。なお、水平部３５は、図２に示すように、横方向と直交する縦方向に延びる形態をなす。
【００１３】
プレート４０は、本体部２１の外周側面から側方に張り出す態様で保持されている。図２に示すように、プレート４０は、作業孔２３と同様に、横方向に長い形態とされ、全体として略長方形状をなしている。プレート４０における本体部２１の左右両側には、複数の孔４１が貫通して形成されている。また、図４に示すように、プレート４０は、本体部２１における下端側に配されている。
【００１４】
さて、ハウジング２０の本体部２１に設けられた保護壁２２は、縦方向における一側（図４における図示右側）に配された第１保護壁２４と、縦方向における他側（図４における図示左側）に配された第２保護壁２５とを備えて構成されている。第１保護壁２４と第２保護壁２５は、いずれも作業孔２３の孔縁部２３Ａから下方に突出する形態をなしている。図２に示すように、第１保護壁２４は、左右両側に位置する水平部３５における基端側の側方に配されており、第２保護壁２５は、左右両側に位置する水平部３５における先端側の側方に配されている。
【００１５】
すなわち、保護壁２２は、左右一対の第１保護壁２４と、左右一対の第２保護壁２５とからなり、これらの保護壁２４、２５によって囲まれた領域の内側に、複数の水平部３５が位置するようになっている。より具体的には、図２において左右一対の第１保護壁２４に外接する接線Ｌ１と、左右一対の第２保護壁２５に外接する接線Ｌ２と、図示左側の第１保護壁２４および第２保護壁２５に外接する接線Ｌ３と、図示右側の第１保護壁２４および第２保護壁２５に外接する接線Ｌ４とによって囲まれた領域の内側に、全ての水平部３５が位置するようになっている。
【００１６】
さらに、図４に示すように、第１保護壁２４の下端２４Ｌおよび第２保護壁２５の下端２５Ｌは、作業孔２３の貫通方向において外部接続部３３よりも本体部２１から離れた位置に配されており、言い換えれば、第１保護壁２４の下端２４Ｌよりも上方に位置し、第２保護壁２５の下端２５Ｌよりも上方に位置している。具体的には、第１保護壁２４の下端２４Ｌおよび第２保護壁２５の下端２５Ｌに外接する接線Ｌ５よりも上側の領域に、全ての水平部３５が位置するようになっている。このため、コネクタ１０を誤って落とした場合に、第１保護壁２４の下端２４Ｌもしくは第２保護壁２５の下端２５Ｌのいずれか一方が最初に地面に衝突することになり、全ての保護壁２４、２５の下端２４Ｌ、２５Ｌが地面に接触したとしても水平部３５が地面に接触することはないものとされている。
【００１７】
以上のように本実施形態では、コネクタ１０を誤って落とした場合に、外部接続部３３よりも先に保護壁２２が地面に衝突するから、外部接続部３３が損傷することを回避できる。また、複数の外部接続部３３の横方向両側に一対の保護壁２２を配したから、横方向両側に位置する一対の外部接続部３３についても一対の保護壁２２で保護することができる。
【００１８】
外部接続部３３は、内部接続部３２に連なる垂直部３４と、垂直部３４に連なる水平部３５とからなり、保護壁２２は、横方向と直交する縦方向における一側に配された第１保護壁２４と、縦方向における他側に配された第２保護壁２５とを備えて構成されているものとしてもよい。
このようにすると、水平部３５の一側を第１保護壁２４によって保護することができ、水平部３５の他側を第２保護壁２５によって保護することができる。
【００１９】
保護壁２２は、本体部２１における作業孔２３の孔縁部２３Ａから作業孔２３の貫通方向に突出する形態をなす構成としてもよい。
このような構成によると、作業孔２３の孔縁部２３Ａに保護壁２２を設けたから、コネクタ１０の大型化を回避できる。
【００２０】
＜他の実施形態＞
本明細書によって開示される技術は上記記述及び図面によって説明した実施形態に限定されるものではなく、例えば次のような種々の態様も含まれる。
（１）上記実施形態では第１保護壁２４と第２保護壁２５が別体に構成されているものの、第１保護壁と第２保護壁が一体に構成されているものでもよい。
【００２１】
（２）上記実施形態では作業孔２３の孔縁部２３Ａに保護壁２２を設けているものの、作業孔２３の孔縁部２３Ａ以外の場所に保護壁を設けてもよく、本体部２１の下面であれば場所は問わない。
【符号の説明】
【００２２】
１０…コネクタ
２０…ハウジング
２１…本体部
２２…保護壁
２３…作業孔
２３Ａ…孔縁部
２４…第１保護壁
２５…第２保護壁
３０…端子
３１…埋設部
３２…内部接続部
３３…外部接続部
３４…垂直部
３５…水平部
【図１】
0006660552.tif 000002
【図２】
0006660552.tif 000003
【図３】
0006660552.tif 000004
【図４】
0006660552.tif 000005